(57)【特許請求の範囲】
【請求項１】
本体を構成する断熱壁と、この断熱壁の前壁の上部に設けられたハンドレールと、このハンドレールの上方に設けられ、ポップカードを支持するためのポップカード支持具とを備えるショーケースにおいて、
前記ハンドレールは対向したフランジを具備する溝を有し、
この溝の内部に挟持部材を設け、前記ポップカード支持具とこの挟持部材とにより前記フランジが挟持されていることを特徴とするショーケース。
【請求項２】
前記挟持部材は、少なくとも一対の対辺距離が前記対向したフランジ間寸法より小なる多角形であることを特徴とする請求項１のショーケース。
【請求項３】
前記挟持部材は、少なくとも一対の対辺距離が前記対向したフランジ間寸法より小であって、他の一対の対辺距離が前記溝の内部の上下間距離と略同一寸法の多角形であることを特徴とする請求項１のショーケース。
【請求項４】
前記挟持部材は、短径が前記対向したフランジ間寸法より小であって、長径が前記溝の内部の上下間距離より大なる長円又は楕円形であることを特徴とする請求項１のショーケース。
【請求項５】
前記挟持部材は、略円形とし、偏心した位置にネジ孔を形成したものであって、直径が前記対向したフランジ間寸法より小であることを特徴とする請求項１のショーケース。
【発明の詳細な説明】
【０００１】
【発明の属する技術分野】
本発明は前壁の上側にポップカード支持具が設けられている冷却ショーケースに関する。
【０００２】
【従来の技術】
従来この種の冷却ショーケースは、たとえば特開平７−２１３３９０号公報などに記載されている。この冷却ショーケースにおけるポップカード支持具７４の構造を図７および図８を用いて説明する。図７は従来の冷却ショーケースの下部の要部斜視図である。図８は図７の断面図である。冷却ショーケースの下部の前壁７１の上端部の後面には、線材からなるポップレール７２と鋼板製のポップレール支持部材７３とから構成されるポップカード支持具７４がネジ７５により立設されている。
【０００３】
【発明が解決しようとする課題】
しかしながら、上記固定方法は、板厚の薄い前壁７１の後面の鋼板にポップカード支持具７４をネジ７５により固定しているため、徐々にネジ７５の締付け強度が弱くなり、例えば、顧客が購入の際、購入商品を入れたバスケットをハンドレール７６の上面に載置した場合にその重量で揺らいだり、遂にはポップカード支持具７４が外れてしまうことさえもあり、取付強度上問題があった。
【０００４】
この発明はこのような問題を解決するためになされたもので、板厚の薄い前壁の鋼板に固定しないようにすることにより、取付強度上の問題を解消するとともに、前壁に穿設する孔を不要とすることにより加工工数を減少させ、さらに、ポップカード支持具を固定する作業を簡易にすることを目的とするものである。
【０００５】
【課題を解決するための手段】
この発明の請求項１のショーケースは、本体を構成する断熱壁と、この断熱壁の前壁の上部に設けられたハンドレールと、このハンドレールの上方に設けられ、ポップカードを支持するためのポップカード支持具とを備えるものであって、前記ハンドレールは対向したフランジを具備する溝を有し、この溝の内部に挟持部材を設け、前記ポップカード支持具とこの挟持部材とにより前記フランジが挟持されているものである。
【０００６】
請求項１の発明によれば、板厚の薄い前壁の鋼板に固定せずハンドレールに挟持部材を用いて固定することにより、取付強度上の問題を解消するとともに、前壁に穿設する孔を不要とすることにより加工工数を減少させることができる。
【０００７】
この発明の請求項２のショーケースは、請求項１において、前記挟持部材は、少なくとも一対の対辺距離が前記対向したフランジ間寸法より小なる多角形であるものである。
【０００８】
請求項２の発明によれば、ポップカード支持具をハンドレールに固定する際は、予めナット板をポップカード支持具にネジにより仮止めしておいてから、溝に差し込み、次に、溝のフランジをこのポップカード支持具とナット板との間に挟んでネジを締めることによりポップカード支持具を容易に固定することができる。
【０００９】
この発明の請求項３のショーケースは、請求項１において、前記挟持部材は、少なくとも一対の対辺距離が前記対向したフランジ間寸法より小であって、他の一対の対辺距離が前記溝の内部の上下間距離と略同一寸法の多角形であるものである。
【００１０】
請求項３の発明によれば、ポップカード支持具をハンドレールに固定する際は、予めポップカード支持具にネジによりナット板を仮止めしておいてから、溝に差し込み、次に、溝のフランジをこのポップカード支持具とナット板との間に挟んでネジを締めると、ナット板は他の一対の対辺距離が前記溝の内部の上下間距離と略同一寸法であるため、溝の中で回転を制止されてそれ以上回転せず、空回りしないため、請求項２の場合に比べてポップカード支持具をさらに容易に固定することができる。
【００１１】
この発明の請求項４のショーケースは、請求項１において、前記挟持部材は、短径が前記対向したフランジ間寸法より小であって、長径が前記溝の内部の上下間距離より大なる長円又は楕円形であるものである。
【００１２】
請求項４の発明によれば、ポップカード支持具をハンドレールに固定する際は、予めポップカード支持具にネジによりナット板を仮止めしておいてから、溝に差し込み、次に、溝のフランジをこのポップカード支持具とナット板との間に挟んでネジを締めると、ナット板は他の一対の対辺距離が前記溝の内部の上下間距離と略同一寸法であるため、溝の中で回転を制止されてそれ以上回転せず、空回りしないため、ポップカード支持具をさらに容易に固定することができる。
【００１３】
この発明の請求項５のショーケースは、請求項１において、前記挟持部材は、略円形とし、偏心した位置にネジ孔を形成したものであって、直径が前記対向したフランジ間寸法より小であるものである。
【００１４】
請求項５の発明によれば、ポップカード支持具をハンドレールに固定する際は、予めナット板をポップカード支持具にネジにより仮止めしておいてから、溝に差し込み、次に、溝のフランジをこのポップカード支持具とナット板との間に挟んでネジを締めることによりポップカード支持具を容易に固定することができる。
【００１５】
【発明の実施の形態】
次に、本発明における冷却ショーケースの実施の形態を図１乃至図６を用いて説明する。図１は本発明にかかる冷却ショーケースの斜視図である。図２は図１の冷却ショーケースの縦側断面図である。図３はポップカードが取り付けられている状態での冷却ショーケースの前側下部の拡大断面図である。図４（ａ）乃至（ｄ）はハンドレールにポップカード支持具を固定する手順を示す。図５（ａ）乃至（ｃ）はそれぞれ図４（ｂ）乃至（ｄ）に対応し、ポップカード支持具を固定する手順を後面側からみた図を示す。図６は他の実施例としての冷却ショーケースを示す。
【００１６】
まず初めに、冷却ショーケース１の全体構成について説明する。冷却ショーケース１の前面には、商品収納および取出用の開口２が形成されているとともに、冷却ショーケース１の本体は、前壁７、上壁８、後壁９、底壁１０および左右の側板５、５からなり、これら前壁７等の内部にはたとえば発泡ポリウレタン等の発泡樹脂が断熱材として充填され、断熱壁１１を構成している。また、冷却ショーケース１の本体の下側には複数の脚１２が設けられている。
【００１７】
そして、断熱壁１１の内面より適当な間隔を有して、塗装鋼板やステンレスなどの錆びない金属板からなる区画天板１３、区画壁板１４および区画床板１５が配設されている。これら区画天板１３、区画壁板１４および区画床板１５と断熱壁１１との間の空間が冷気流路１６となる。この冷気流路１６の一部は、隔壁１７で２つの内側流路１６ａと外側流路１６ｂに分割されている。そして、区画天板１３、区画壁板１４および区画床板１５で囲まれた陳列室１８には、多段の商品陳列棚１９が設けられている。
【００１８】
そして、冷気流路１６には、内側流路１６ａ内に冷却器２１が、また、区画床板１５の下側に図示しない冷却器用送風機が配置されている。この冷却器２１には、冷却ショーケース１とは別体に配置されている凝縮器および圧縮機などからなる冷凍機（図示しない）から冷媒が供給されており、低温度とされている。そして、冷却器用送風機が回転すると、冷気流路１６内の空気は、図２に図示する矢印の方向に送風され、冷気流路１６の内側流路１６ａに流入した空気は冷却器２１で冷却されてから、庫内側の冷気吐出口２３から陳列室１８内に吐出され、一方、冷気流路１６の外側流路１６ｂに流入した空気は庫外側の冷気吐出口２４から陳列室１８内に吐出されている。
【００１９】
そして、冷気吐出口２３，２４から吐出した冷気は、陳列室１８の前面すなわち商品収納および取出用の開口２においてエアーカーテン２６を形成するとともに陳列室１８内を冷却し、区画床板１５の前方に形成された空気吸込口２７から吸い込まれて冷気流路１６内に戻ってくる。この様にして、空気は循環している。
【００２０】
そして、断熱壁１１の前壁７の前面は、フロントパネル３１で覆われ、前壁７の上端部にはハンドレール３２が設けられている。これら断熱壁１１の前壁７、フロントパネル３１およびハンドレール３２が、冷却ショーケース１の前面壁３４を構成している。また、断熱壁１１の前壁７の後側には、前述の空気吸込口２７が形成されている吸込口カバー３３が配置されている。
【００２１】
ハンドレール３２は、ＡＢＳ樹脂を押出し成型した後、両端を切断加工して形成されたものである。そして、前記吸込口カバー３３の前端部が下方に延在し、その前端部がハンドレール３２の後部にて支持され、この前端部と後述するフランジ４１ｂとにより第１の溝３６を形成している。その前面上部には冷却ショーケース１の商品陳列棚１９に載置された商品の価格等を表示する図示しないプライスカードを保持するためのプライスレール部３９が前下がりの傾斜を設けて形成されている。また、このハンドレール３２の前部は、前記フロントパネル３１の上端部を覆うとともに、その中央部には第２の溝３７が設けられ、ステンレス鋼板を折曲げ成形された飾り部材４０がこの第２の溝３７を塞ぐように設けられている。
【００２２】
さらに、このハンドレール３２の後部には、上下に対向したフランジ４１ａ、４１ｂを有する第３の溝３８が設けられている。この上下のフランジ４１ａ、４１ｂ間の距離（図４（ａ）のＡ寸法）は、後述するナット板３５の一対の対辺距離（図５（ａ）のＣ寸法）より少許大なる距離を有している。
【００２３】
次に、ポップカード支持具４３について説明する。ポップカード支持具４３は、細長いポップレール支持部材４４と、ワイヤを長円状に形成したポップレール４５とから構成されるものである。このポップレール支持部材４４は、鋼板やステンレス板などの金属板を板金加工して形成され、断面略Ｚ字状をしており、略垂直な固定部４６と、この固定部４６の両端部の上端から前方へ略水平に延在した一対の水平部４７と、この一対の水平部４７の前端から上方へ突出したポップレール取付部４８とからなっている。固定部４６にはポップレール取付部４８の下方に上下に長い貫通孔５０が左右一対形成されている。そして、前記ポップレール４５をポップレール取付部４８に溶接することにより、ポップカード支持具４３が構成されている。
【００２４】
挟持部材としてのナット板３５は、鋼板を六角形の平板に打抜き加工し、その中央部にネジ孔を形成したものであり、前記六角形の一対の対辺距離（図５（ａ）のＣ寸法）が前記溝の上下に延在するフランジ４１ａ、４１ｂ間の距離（図４（ａ）のＡ寸法）より少許小であって、他の一対の対辺距離（図５（ａ）のＤ寸法）が前記溝の内部の上下距離（図４（ａ）のＢ寸法）と略同一寸法としてある。
【００２５】
以上の構成により、本発明によってポップカード支持具４３を固定する手順を図４（ａ）乃至（ｄ）により説明する。まず、図４（ａ）の如く、ポップカード支持具４３の固定部４６の水平部４７側（前方側）にナット板３５をネジ５１により仮止めしておく。そして、図４（ｂ）の如く、ハンドレールの後部の第３の溝３８に後方から前方に向かって差し込む。このとき、ナット板３５は、六角形の形状であって、一対の対辺距離（図５（ａ）のＣ寸法）が前記溝の上下に延在するフランジ４１ａ、４１ｂ間の距離（図４（ａ）のＡ寸法）より少許小であるので、容易にハンドレールの第３の溝３８に後方から差し込むことができる。その後、図４（ｃ）の如く、ポップカード支持具４３を下げると、ポップレール支持部材４４の固定部４６には上下方向に長い貫通孔５０が穿設されているので、ハンドレール３２の上下に対向した２つのフランジ４１ａ、４１ｂの内、下から上方に延在するフランジ４１ｂと、吸込み口カバー３３の前端とで構成される第１の溝３６に、ポップレール支持部材４４の固定部４６の下端を差し込むことができる。次いで、ドライバー等の工具によりネジ５１を回転させると、ナット板３５はこのネジ５１とともに回転する。しかし、ハンドレール３２の第３の溝３８の内部で所定の角度の回転をすると、他の一対の対辺距離（図５（ａ）のＤ寸法）がこの第３の溝３８の内部の上下間距離（図４（ａ）のＢ寸法）と略同一寸法であるため、このナット板３５は制止され、それ以上回転をすることができない。この状態でさらにネジ５１を締めると、ハンドレール３２の上下に対向した一対のフランジ４１ａ、４１ｂが、ポップレール支持部材４４の固定部４６とナット板３５とにより図４（ｄ）の如く挟持されることになるので、ポップカード支持具４３がしっかりと立設される。
【００２６】
すなわち、ハンドレール３２の第３の溝３８の上下に対向した一対のフランジ４１ａ、４１ｂは、ポップレール支持部材４４の固定部４６とナット板３５とにより挟持されるとともに、吸込み口カバー３３の前端と、ハンドレール３２の下から上方に延在するフランジ４１ｂとで構成される第１の溝３６に、ポップレール支持部材４４の固定部４６の下端が差し込まれているので、ポップカード支持具４３をしっかりと固定し、立設させることができ、取付け強度が向上する。
【００２７】
尚、図５（ａ）乃至（ｃ）は、前記取付手順に関して、ハンドレール３２及びポップカード支持具４３等を後面側から見たものである（吸込み口カバー３３等は省略して示す）。図５（ａ）は、図４（ｂ）の状態に対応するもので、ハンドレール３２の後部の第３の溝３８に後方から前方に向かって差し込む状態を示す。このとき、ネジ５１は、ポップレール支持部材４４の固定部４６に設けられた上下方向に長い貫通孔５０の下端の位置にある。図５（ｂ）は、図４（ｃ）の状態に対応するもので、ポップカード支持具４３を下げた状態を示す。このとき、前述したように、ポップレール支持部材４４の固定部４６には上下方向に長い貫通孔５０が穿設されているため、ネジ５１が貫通孔５０の上方に移動するので、吸込み口カバー３３の前端とハンドレール３２のフランジ４１ｂとで構成される第１の溝３６にポップレール支持部材４４の固定部４６の下端を差し込むことができる。図５（ｃ）は、図４（ｄ）の状態に対応するものである。このとき、ハンドレール３２の第３の溝３８の上下に対向した一対のフランジ４１ａ、４１ｂは、ポップレール支持部材４４の固定部４６とナット板３５とにより挟持されるとともに、吸込み口カバー３３の前端とハンドレール３２の下から上方に延在するフランジ４１ｂとで構成される第１の溝３６に、ポップレール支持部材４４の固定部４６の下端が差し込まれている。
【００２８】
ポップカード支持具４３に取り付けられるポップカード６１は、透明な樹脂板で構成され、図３に示す如く、上端部にはフック状の係合部６２が形成され、ポップカード支持具４３の上端に係合する。ポップカード６１の下端部には、略１８０°に折り曲げられている折り重ね部６３が形成され、係合部６２と折り重ね部６３との間が平板状の表示部６６となっている。この表示部６６の後側に、ポップすなわち商品の宣伝などを記載した表示板が取り付けられる。ポップカード６１は、ポップカード支持具４３に引っ掛けた際に、ポップカード支持具４３の上端部とハンドレール３２の前端部に載置されるので前下がりに傾斜し、したがって、ポップカード６１の表示部６６を前下りに傾斜させることができる。その結果、ポップカード６１の表示が見えやすくなる。
【００２９】
以上、本発明の実施の形態を詳述したが、本発明は、前記実施の形態に限定されるものではなく、特許請求の範囲に記載された本発明の範囲内で、種々の変更を行うことが可能である。
【００３０】
例えば、実施の形態においては、挟持部材としてのナット板３５は六角形であるが、多角形のいずれであってもポップカード支持具４３がしっかりと立設される。
【００３１】
また、挟持部材としてのナット板３５は、短径が前記対向したフランジ間寸法（図４（ａ）のＡ寸法）より小であって、長径が前記溝の内部の上下間距離（図４（ａ）のＣ寸法）より大なる長円又は楕円形のものであっても同様にポップカード支持具４３がしっかりと立設される。
【００３２】
さらに、挟持部材としてのナット板３５を略円形とし、偏心した位置にネジ孔を形成したものであっても可能である。その場合、ハンドレール３２の第３の溝３８の上下に対向した一対のフランジ４１ａ、４１ｂのうち一方のみのフランジが、偏心した円形のナット板３５とポップレール支持部材４４の固定部４６とにより挟持されることになり、前記実施例に比べて取付強度的に多少の低下は起きるが、ポップカード支持具４３の固定は可能である。そして、前記実施例と同様に、吸込み口カバー３３の前端とハンドレール３２の下から上方に延在するフランジ４１ｂとで構成される第１の溝３６に、ポップレール支持部材４４の固定部４６の下端が差し込まれるように構成すれば、この強度低下を減少させることができるので、ポップカード支持具４３をしっかりと固定し、立設させることができる。そのため、顧客が購入時に購入商品を入れたバスケットをハンドレールの上面に載置した場合、その重量でポップカード支持具が揺らぐことがなくなり、いっそう取付強度が向上している。
【００３３】
また、実施の形態における冷却ショーケース１は、前面にのみ商品収納および取出用開口２が形成されているが、他の面に商品収納および取出用の開口２が形成されていても可能である。例えば、図６に示す如き上部に開口２が形成されている冷却ショーケース１の場合においても、図１の冷却ショーケースと同様にポップカード支持具４３を使用することができる。尚、図６において、実施の形態と構成的に同一または相当する部分には同一番号を付し、説明は省略する。
【００３４】
【発明の効果】
以上のように、請求項１の発明によれば、板厚の薄い前壁の鋼板に固定せずハンドレールに挟持部材を用いて固定することにより、取付強度上の問題を解消するとともに、前壁に穿設する孔を不要とすることにより加工工数を減少させることができる。
【００３５】
請求項２または請求項５の発明によれば、ポップカード支持具をハンドレールに固定する際は、予めナット板をポップカード支持具にネジにより仮止めしておいてから、溝に差し込み、次に、溝のフランジをこのポップカード支持具とナット板との間に挟んでネジを締めることによりポップカード支持具を容易に固定することができる。
【００３６】
請求項３または請求項４の発明によれば、ポップカード支持具をハンドレールに固定する際は、予めポップカード支持具にネジによりナット板を仮止めしておいてから、溝に差し込み、次に、溝のフランジをこのポップカード支持具とナット板との間に挟んでネジを締めると、ナット板は他の一対の対辺距離が前記溝の内部の上下間距離と略同一寸法であるため溝の中で回転を制止されてそれ以上回転せず、空回りしないので、前記のものに比べてポップカード支持具をさらに容易に固定することができる。
【図面の簡単な説明】
【図１】本発明にかかる冷却ショーケースの斜視図である。
【図２】図１の冷却ショーケースの縦側断面図である。
【図３】ポップカードが取り付けられている状態での冷却ショーケースの前側下部の拡大断面図である。
【図４】（ａ）ポップカード支持具にナット板を仮止めした状態を示す要部拡大分解断面図、（ｂ）ハンドレールの後部の第３の溝にナット板を差し込んだ状態を示す要部拡大断面図、（ｃ）ポップカード支持具を下げた状態を示す要部拡大断面図、（ｄ）ネジを締めてポップカード支持具が立設された状態を示す要部拡大断面図である。
【図５】（ａ）ハンドレールの後部の第３の溝にナット板を差し込んだ状態を後面側から見た要部背面図、（ｂ）ポップカード支持具を下げた状態を後面側から見た要部背面図、（ｃ）ネジを締めてポップカード支持具が立設された状態を後面側から見た要部反面図である。
【図６】他の実施例としての冷却ショーケースを示す断面図である。
【図７】従来の冷却ショーケースの下部の要部斜視図である。
【図８】図７の断面図である。
【符号の説明】
１  冷却ショーケース
２  商品収納および取出用開口
７  前壁
１１  断熱材
１８  陳列室
２３，２４  冷気吐出口
２６  エアーカーテン
２７  空気吸込口
３２  ハンドレール
３５  ナット板
３６  第１の溝
３７  第２の溝
３８  第３の溝
４１ａ、４１ｂ  フランジ
４３  ポップカード支持具
４４  ポップレール支持部材
４５  ポップレール
４６  固定部
４７  水平部
４８  ポップレール取付部
５０  貫通孔
５１  ネジ
６１  ポップカード
【図１】
0003992412.tif 000002
【図２】
0003992412.tif 000003
【図３】
0003992412.tif 000004
【図４】
0003992412.tif 000005
【図５】
0003992412.tif 000006
【図６】
0003992412.tif 000007
【図７】
0003992412.tif 000008
【図８】
0003992412.tif 000009